(57)【要約】  【課題】  本発明は、紛失時の状況に応じて最適な処理を実行可能にしつつ、他人による不正使用及び個人情報の漏洩を効果的に防止できる無線端末装置を提供することを目的とする。  【解決手段】  本発明の無線端末装置１は、電子メールを受信可能な無線端末装置１であって、受信した電子メールが、当該無線端末装置１に備わる機能を実行するためのコマンドが記述されたコマンドメールであるか否かを判定するメール処理部２１と、前記メール処理部２１によりコマンドメールであると判定した場合に、当該コマンドメールに記述されたコマンドに基づいて、当該無線端末装置１に備わる機能を実行するよう制御するための制御命令を生成するコマンド実行部２２と、前記コマンド実行部２２により生成した制御命令を実行する制御部２４と、を備えるものである。【選択図】  図１
2006211377.tif 000002
【特許請求の範囲】
【請求項１】
電子メールを受信可能な無線端末装置であって、
受信した電子メールが、当該無線端末装置に備わる機能を実行するためのコマンドが記述されたコマンドメールであるか否かを判定するメール処理手段と、
前記メール処理手段によりコマンドメールであると判定した場合に、当該コマンドメールに記述されたコマンドに基づいて、当該無線端末装置に備わる機能を実行するよう制御するための制御命令を生成するコマンド実行手段と、
前記コマンド実行手段により生成した制御命令を実行する制御手段と、
を備える無線端末装置。
【請求項２】
請求項１記載の無線端末装置であって、
前記コマンドメールは、複数のコマンドが記述され、
前記コマンド実行手段は、前記複数のコマンドに基づいて、複数の制御命令を生成し、
前記制御手段は、前記コマンド実行手段により生成した複数の制御命令を実行する無線端末装置。
【請求項３】
請求項１または２記載の無線端末装置であって、
前記コマンドメールは、少なくとも音声情報、画像情報または動画像情報を含む、各種情報が記述され、
前記コマンド実行手段は、前記コマンドメールに記述されたコマンドに基づいて、当該無線端末装置に備わる機能を前記各種情報を参照して実行するよう制御するための制御命令を生成する無線端末装置。
【発明の詳細な説明】
【技術分野】
【０００１】
本発明は、紛失した際の不正使用を防止するとともに、記憶された個人情報を保護することのできる無線端末装置に関する。
【背景技術】
【０００２】
携帯電話機等の無線端末装置は、近年の多岐にわたる通信サービスの充実によって広く普及している。しかしながら、それに伴って置き忘れ等による紛失や盗難に遭う例も多く発生し、他人による不正使用や電話帳等個人情報の漏洩の危険性が高くなってきている。これらの解決策として、例えば図４に示す携帯電話機が提案されている。
【０００３】
この携帯電話機は、所有者が携帯電話機４を紛失時に、携帯電話機４以外の端末から特定のキーワードと暗証番号を含む電子メールを無線部４１を介して受信すると、制御部４４が、記憶部４７に予め記憶された置き忘れ対策用識別子データ５６のキーワードと暗証番号が含まれているかどうかを判定して、含まれていれば置き忘れ対策処理部５２を起動し、置き忘れ処理を行う。ここで、制御部４４は、置き忘れ処理時に、操作部４５からのキー入力を受け付けないようにするキーロック設定処理を実行して、発呼及びメモリダイヤルへのアクセスを禁止し、次いで、記憶部４７のメモリダイヤルリスト５３を電子メールを送信した所有者の端末に送信し、さらに、位置情報処理部４８で識別した携帯電話機４の現在位置を所有者の端末に送信する。これらの携帯電話機の置き忘れ処理により、紛失した携帯電話機の不正使用を防止するとともに、携帯電話機の発見を容易にする（例えば、特許文献１参照）。
【０００４】
また、他の従来の携帯電話機には、所有者が携帯電話機を紛失時に、携帯電話機以外の端末から事前に設定したコマンド文字列を含む電子メールを受信すると、携帯電話機の現在位置と、周囲の撮影画像及び通話履歴を予め設定したメールアドレスに定期的に自動送信することにより、紛失または盗難にあった際に回収できる可能性を高めると共に、不正使用による課金を防止でき、更に携帯電話に納められている個人データを保護することができるようにしたものが開示されている（例えば、特許文献２参照）。
【０００５】
さらに、別の従来の携帯電話機には、表示、照明、振動及び鳴動の少なくともいずれかの機能を強制的に停止する悪用防止モードを用意し、所有者が携帯電話機を紛失時に、携帯電話機以外の端末からこの悪用防止モードへ移行するためのキーワードを含む電子メールを受信すると、悪用防止モードへ移行して携帯電話機が故障しているように見せかけて不正使用を防ぐようにしたものがある（例えば、特許文献３参照）。
【０００６】
【特許文献１】特開２００２−１１１８５８号公報
【特許文献２】特開２００４−１１２１２６号公報
【特許文献３】特開２００４−１５９１２１号公報
【発明の開示】
【発明が解決しようとする課題】
【０００７】
しかしながら、上記従来の携帯電話機にあっては、所有者から送信される電子メールを受信した際に、常に所定の処理が実行されるのみで、置き忘れ又は盗難等の紛失時の状況に応じた最適な処理が必ずしも実行されているとは限らない。
【０００８】
本発明は、上記の事情に鑑みてなされたものであって、紛失時の状況に応じて最適な処理を実行可能にしつつ、他人による不正使用及び個人情報の漏洩を効果的に防止できる無線端末装置を提供することを目的とする。
【課題を解決するための手段】
【０００９】
本発明の無線端末装置は、電子メールを受信可能な無線端末装置であって、受信した電子メールが、当該無線端末装置に備わる機能を実行するためのコマンドが記述されたコマンドメールであるか否かを判定するメール処理手段と、前記メール処理手段によりコマンドメールであると判定した場合に、当該コマンドメールに記述されたコマンドに基づいて、当該無線端末装置に備わる機能を実行するよう制御するための制御命令を生成するコマンド実行手段と、前記コマンド実行手段により生成した制御命令を実行する制御手段と、を備えるものである。
【００１０】
この構成により、受信した電子メールに記述されたコマンドによって紛失した無線端末装置を制御することができるため、紛失時の状況に応じて最適な処理を実行しつつ、他人による不正使用及び個人情報の漏洩を効果的に防止することが可能となる。
【００１１】
また、本発明の無線端末装置は、前記コマンドメールは、複数のコマンドが記述され、前記コマンド実行手段は、前記複数のコマンドに基づいて、複数の制御命令を生成し、前記制御手段は、前記コマンド実行手段により生成した複数の制御命令を実行するものを含む。
【００１２】
この構成により、無線端末装置の所有者が希望する制御内容毎に複数の電子メールを作成する必要がなくなり、メール作成の負荷及び通信費の低減を図ることができる。
【００１３】
また、本発明の無線端末装置は、前記コマンドメールは、少なくとも音声情報、画像情報または動画像情報を含む、各種情報が記述され、前記コマンド実行手段は、前記コマンドメールに記述されたコマンドに基づいて、当該無線端末装置に備わる機能を前記各種情報を参照して実行するよう制御するための制御命令を生成するものを含む。
【００１４】
この構成により、音声情報、画像情報または動画像情報により構成されるメッセージを紛失した無線端末装置に通知させることにより、無線端末装置の拾得者へメッセージを効果的に伝えることができる。
【発明の効果】
【００１５】
本発明の無線端末装置によれば、紛失時の状況に応じて最適な処理を実行可能にしつつ、他人による不正使用及び個人情報の漏洩を効果的に防止できる無線端末装置を提供することが可能である。また、紛失した旨を知らせるメッセージを無線端末装置の拾得者へ効果的に伝えることのできる。
【発明を実施するための最良の形態】
【００１６】
本発明の実施形態は、ネットワークを介して外部機器との間で電子メールを送受信可能な無線端末装置として、携帯電話機を例示する。図１は、本発明の実施形態に係る携帯電話機の概略構成を示す図である。
【００１７】
図１に示すように、この携帯電話機１は、アンテナ１１と、無線部１２と、音声処理部１３と、マイクロホン１４と、スピーカ１５と、表示部１６と、振動部１７と、操作部１８と、カメラ部１９と、位置情報処理部２０と、メール処理部２１と、コマンド実行部２２と、記憶部２３と、制御部２４と、を含んで構成される。アンテナ１１は、無線基地局との間で電磁波を送受信する。無線部１２は、無線信号の変復調及び高周波増幅等を行う。音声処理部１３は、音声信号を処理する。マイクロホン１４は、音声の入力を行う。スピーカ１５は、音声の出力を行う。表示部１６は、操作情報や着信情報、電子メール等を表示する液晶ディスプレイからなる。振動部１７は、着信を振動で報知する。操作部１８は、携帯電話機１を操作するための押ボタン等からなる。カメラ部１９は、画像を撮像する。位置情報処理部２０は、基地局情報又はＧＰＳ情報を処理することによって携帯電話機１の現在位置を取得する。メール処理部２１は、電子メールの送受信処理と後述するコマンドメールの抽出及び解析を行う。コマンド実行部２２は、コマンドメール中に含まれるコマンドを実行する。記憶部２３は、各種のデータを記憶する。制御部２４は、プログラムに従って動作するＣＰＵを有して携帯電話機１の各部を統括制御する。
【００１８】
コマンドメールは、紛失した携帯電話機１を操作するためのコマンドを含む電子メールであって、携帯電話機１を紛失した際に所有者がパソコン等の端末装置から送信するものである。図２に、コマンドメールの例を示す。
【００１９】
図２において、コマンドメールの記述１、２行目は、電子メールがメールアドレス「ｏｗｎｅｒ＠ｊｐ．ｐａｎａｓｏｎｉｃ．ｃｏｍ」を有する所有者のパソコンからメールアドレス「ｍｏｂｉｌ＠ｊｐ．ｎｅｔｗｏｒｋ．ｃｏｍ」を有する携帯電話機１へ送信されることを示すものであり、３行目はこの電子メールがコマンドメールであることを示すＳｕｂｊｅｃｔである。続く４行目に、パスワード「ｓｅｃｒｅｔ」が記述され、５行目以下に紛失した携帯電話機１を操作するための３つのコマンドが記述されている。なお、本実施形態では、３行目に記述されたＳｕｂｊｅｃｔの「コマンドメール」を、当該メールがコマンドメールであることを識別するためのキーワードとして用いている。
【００２０】
表１は、コマンドメールに記述するコマンドの例を示すもので、コマンドに対応する制御内容が携帯電話機１において実行される。なお、コマンドフォーマット、ファイル形式、設定値及び単位は、表１に記載したもの以外でも適用可能である。
【００２１】
【表１】
2006211377.tif 000003
【００２２】
メール処理部２１は、受信した電子メールがコマンドメールであるか否かをキーワードによって判定するとともに、コマンドメールであると判定した場合に、コマンドメールが所有者本人から送られたものであるか否かをパスワードによって確認する。
【００２３】
記憶部２３は、通信相手先の名前と電話番号、メールアドレス等の情報を記憶した電話帳部２３１、通話における発信先／発信元の電話番号及び発着信時刻、通話時間等を記憶する発着信履歴部２３２、電子メールにおける発信先／発信元のメールアドレスや発着信時刻、受信メールおよび送信メールを記憶するメール履歴部２３３、所有者の行動予定を記憶する予定表部２３４、留守番電話の応答メッセージを記憶する応答メッセージ部２３５、カメラ部１９で撮像した動画像を記憶する動画像部２３６、携帯電話機１の制御内容とコマンドとを対応付けた表１に示すようなテーブルを記憶するコマンド部２３７、携帯電話機１に予め付与されたキーワード及びパスワードを記憶するキーワード／パスワード部２３８を有して構成される。
【００２４】
次に、以上のように構成された本実施形態の携帯電話機１の動作について、具体例をいくつか示す。図３は、本発明の実施形態の携帯電話機の動作手順の１例を示すフローチャートである。なお、ここでの携帯電話機１が受信するコマンドメールは、例えば図２に示すものである。
【００２５】
携帯電話機１は、電子メールを受信する（ステップＳ１０１）と、これを一旦記憶部２３のメール履歴部２３３に保存する（ステップＳ１０２）。
【００２６】
次いで、メール処理部２１は、受信した電子メールのキーワードをキーワード／パスワード部２３８に記憶されているキーワードと照合し、一致するか否かを判定する（ステップＳ１０３）。本実施形態では、Ｓｕｂｊｅｃｔ欄に記述された「コマンドメール」がキーワードである。
【００２７】
ステップＳ１０３における判定の結果、例えば図２に示す電子メールのように、Ｓｕｂｊｅｃｔ欄に「コマンドメール」と記述されている場合は、受信した電子メールはコマンドメールであると判断して、ステップＳ１０４の手順に進む。
【００２８】
一方、ステップＳ１０３において、Ｓｕｂｊｅｃｔ欄にキーワードの「コマンドメール」が記述されていない場合は、受信した電子メールはコマンドメールではないと判断してステップＳ１０７に進み、通常の電子メール受信処理、例えば、スピーカ１５の鳴動、又は振動部１７による振動により電子メールの受信を報知すると共に、キー操作により受信した電子メール文を表示部１６に表示する。
【００２９】
ステップＳ１０４において、メール処理部２１は受信した電子メールのパスワードとキーワード／パスワード部２３８に記憶されているパスワードを照合し、一致するか否かを判定する。その結果、一致する場合は、受信した電子メールは携帯電話機１の所有者から送信されたコマンドメールであると判断して、以下のコマンドの解析及び実行のサブルーチンの手順に進む。なお、本実施形態におけるコマンドメールのパスワードは、図２のＰａｓｓ欄に記述された「ｓｅｃｒｅｔ」がキーワードである。
【００３０】
一方、ステップＳ１０４において、パスワードが一致しない場合は、受信した電子メールは他人から送られた通常の電子メールであると判断してステップＳ１０７に進み、前述したと同様、通常の受信処理を行う。
【００３１】
サブルーチンにおける手順ステップＳ１０５において、コマンド実行部２２は、記憶部２３のコマンド部２３７を参照し、コマンドメールに記述されたコマンドを解析する。
【００３２】
次いで、ステップＳ１０６では、解析内容に基づいて制御部２４に命令を出力し、制御部２４はコマンドに対応する処理、例えば、キーロック設定処理を実行する。
【００３３】
以下、受信したコマンドメールに含まれるコマンドの数に応じてサブルーチンの手順を繰り返す。図２に示すコマンドメールを受信した場合は、キーロック設定処理に続いて、添付ファイル「ｗａｉｔ．ｍｐ３」を留守番電話のメッセージに設定、６０秒毎に位置情報処理部で取得した位置情報を「ｏｗｎｅｒ＠ｊｐ．ｐａｎａｓｏｎｉｃ．ｃｏｍ」に送信、の３つの処理を行う。
【００３４】
この例では、メール処理部２１において、受信した電子メールをキーワード及びパスワードによって検証し、所有者から送信されたコマンドメールであると判定された場合に、コマンド実行部２２でコマンドメールに記述されたコマンドを解析して、コマンドの数に応じた命令を制御部２４に出力し、複数の処理を実行する。
【００３５】
これにより、所有者からキーワードとパスワード、及び複数のコマンドを含んだ１通のコマンドメールを送信することで、紛失した携帯電話機１を複数通り制御することができる。
【００３６】
また、本発明の実施形態の携帯電話機における動作手順の他の例を説明する。この例は、紛失した携帯電話機１によりコマンドメールを受信し、コマンドメールに添付された添付ファイルを留守番電話の応答メッセージとして設定する場合の例である。
【００３７】
先に説明した例と異なるのは、ステップ１０５の処理とステップ１０６の処理である。その他の処理については、説明を省略する。
【００３８】
ステップＳ１０５において、コマンド実行部２２は記憶部２３のコマンド部２３７を参照し、コマンドメールに記述されたコマンド「ＳｅｔＡｎｓｗｅｒＰｈｏｎｅＷｉｔｈＡｔｔ−ｗａｉｔ．ｍｐ３」を解析する。次いで、解析結果に基づいて記憶部２３の応答メッセージ部２３５に添付の応答メッセージ「ｗａｉｔ．ｍｐ３」をコピーするように、制御部２４に対して命令を出力する。さらに、コマンド実行部２２は、応答メッセージ「ｗａｉｔ．ｍｐ３」を留守番電話の応答メッセージに設定するように、制御部２４に対して命令を出力する。そして、ステップＳ１０６において、制御部２４はコマンド実行部２２から入力した命令を実行する。
【００３９】
この例では、メール処理部２１において、コマンドメールを受信してキーワード及びパスワードにより検証し、コマンド実行部２２でコマンドメールに記述されたコマンドを解析して命令を制御部２４に出力することにより、応答メッセージ「ｗａｉｔ．ｍｐ３」を留守番電話の応答メッセージとして設定する。
【００４０】
これにより、紛失した携帯電話機１に添付ファイルを留守番電話の応答メッセージとして設定することができる。
【００４１】
さらに、本発明の実施形態の携帯電話機における動作手順の別の例を説明する。この例は、紛失した携帯電話機１によりコマンドメールを受信し、コマンドメールに添付された画像を待ち受け画面として設定する場合の例である。この例も、図３に示す、ステップ１０５の処理とステップ１０６の処理とが異なる。その他の処理については、説明を省略する。
【００４２】
ステップＳ１０５において、コマンド実行部２２は記憶部２３のコマンド部２３７を参照し、コマンドメールに記述されたコマンド「ＳｅｔＷａｉｔＤｉｓｐＷｉｔｈＡｔｔ−ｄｉｓｐｌａｙ．ｐｎｇ」を解析する。次いで、解析結果に基づき記憶部２３の動画像部２３６に添付した画像「ｄｉｓｐｌａｙ．ｐｎｇ」をコピーするように、制御部２４に対して命令を出力する。さらに、コマンド実行部２２は、画像「ｄｉｓｐｌａｙ．ｐｎｇ」を待ち受け画面の背景に設定するように、制御部２４に命令を出力する。そして、ステップＳ１０６において、制御部２４はコマンド実行部２２から入力した命令を実行する。
【００４３】
この例では、メール処理部２１において、所定の画像を添付したコマンドメールを受信してキーワード及びパスワードにより検証し、コマンド実行部２２でコマンドメールに記述されたコマンドを解析して命令を制御部２４に出力して画像「ｄｉｓｐｌａｙ．ｐｎｇ」を待ち受け画面の背景に設定する。
【００４４】
これにより、紛失した携帯電話機１の待ち受け画面をリモートコントロールによって変更することができる。
【００４５】
以上説明したように、このような本発明の実施形態の携帯電話機１によれば、所有者から送信された複数のコマンドを含むコマンドメールを受信して、メール処理部２１でキーワード及びパスワードにより検証し、コマンド実行部２２でコマンドメールに記述されたコマンドを解析して命令を制御部２４に出力して実行する。これにより、リモートコントロールにより紛失した無線端末装置を複数通り制御することが可能となり、他人による不正使用及び個人情報の漏洩を効果的に防止できる。
【産業上の利用可能性】
【００４６】
本発明の無線端末装置によれば、紛失時の状況に応じて最適な処理を実行可能にしつつ、他人による不正使用及び個人情報の漏洩を効果的に防止できる無線端末装置を提供することができ、また、紛失した旨を知らせるメッセージを無線端末装置の拾得者へ効果的に伝えることのできるという効果を有し、紛失した際の不正使用を防止するとともに、記憶された個人情報を保護することのできる無線端末装置において有用である。
【図面の簡単な説明】
【００４７】
【図１】本発明の実施形態に係る無線端末装置の概略構成を示す図
【図２】本発明の実施形態に係る無線端末装置が受信するコマンドメールの例を示す図
【図３】本発明の実施形態の無線端末装置における動作手順の１例を説明するためのフローチャート
【図４】従来の無線端末装置の概略構成を示す図
【符号の説明】
【００４８】
１  携帯電話機
１１  アンテナ
１２  無線部
１３  音声処理部
１４  マイク
１５  スピーカ
１６  表示部
１７  振動部
１８  操作部
１９  カメラ部
２０  位置情報処理部
２１  メール処理部
２２  コマンド実行部
２３  記憶部
２３１  電話帳部
２３２  発着信履歴部
２３３  メール履歴部
２３４  予定表部
２３５  応答メッセージ部
２３６  動画像部
２３７  コマンド部
２３８  キーワード／パスワード部
２４  制御部
【図１】
2006211377.tif 000004
【図２】
2006211377.tif 000005
【図３】
2006211377.tif 000006
【図４】
2006211377.tif 000007